(57)【要約】本開示のある態様は、ＮＲ技術に従って動作する通信システムにおける、非周期的チャネル状態情報（ＣＳＩ）基準信号（ＲＳ）に対する擬似コロケーション仮定に関する。ＵＥによって行われ得る例示的な方法は、物理チャネルに対する非周期的チャネル状態情報（ＣＳＩ）基準信号（ＣＳＩ−ＲＳ）の擬似コロケーション（ＱＣＬ）関連性を決定することと、決定されたＱＣＬ関連性に従って、非周期的ＣＳＩ−ＲＳを処理することとを含んでいる。【選択図】図１１
2021511762.tif 000002
【特許請求の範囲】
【請求項１】
ユーザ機器（ＵＥ）によるワイヤレス通信のための方法であって、
物理チャネルに対する非周期的チャネル状態情報（ＣＳＩ）基準信号（ＣＳＩ−ＲＳ）の擬似コロケーション（ＱＣＬ）関連性を決定することと、
前記決定されたＱＣＬ関連性に従って、前記非周期的ＣＳＩ−ＲＳを処理することとを含む、方法。
【請求項２】
前記ＱＣＬ関連性を決定することは、
前記非周期的ＣＳＩ−ＲＳと前記非周期的ＣＳＩ−ＲＳをスケジューリングするダウンリンク制御情報（ＤＣＩ）とに関連したオフセットパラメータ、および、
しきい値に基づく、請求項１に記載の方法。
【請求項３】
前記ＱＣＬ関連性を決定することは、
前記オフセットパラメータが前記ＵＥによってまだ決定されていないとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２に記載の方法。
【請求項４】
前記ＱＣＬ関連性を決定することは、
前記オフセットパラメータが前記しきい値よりも低いとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２に記載の方法。
【請求項５】
前記ＱＣＬ関連性を決定することは、
前記オフセットパラメータが前記ＵＥによってまだ決定されていないとき、別の送信の時間および周波数リソースの許可において示されるＱＣＬ関連性を使用するように決定することを含み、前記許可された時間および周波数リソースは、前記非周期的ＣＳＩ−ＲＳの時間および周波数リソースを含む、請求項２に記載の方法。
【請求項６】
前記ＱＣＬ関連性を決定することは、
前記オフセットパラメータが前記しきい値よりも低いとき、別の送信の時間および周波数リソースの許可において示されるＱＣＬ関連性を使用するように決定することを含み、前記許可された時間および周波数リソースは、前記非周期的ＣＳＩ−ＲＳの時間および周波数リソースを含む、請求項２に記載の方法。
【請求項７】
前記ＱＣＬ関連性を決定することは、
前記オフセットパラメータが前記ＵＥによってまだ決定されていないとき、前記非周期的ＣＳＩ−ＲＳの時間および周波数リソースを含む時間および周波数リソースのセットについてのユニキャスト物理ダウンリンク共有チャネル（ＰＤＳＣＨ）のＱＣＬ関連性を使用するように決定することを含む、請求項２に記載の方法。
【請求項８】
前記ＱＣＬ関連性を決定することは、
前記オフセットパラメータが前記しきい値よりも低いとき、前記非周期的ＣＳＩ−ＲＳの時間および周波数リソースを含む時間および周波数リソースのセットについてのユニキャスト物理ダウンリンク共有チャネル（ＰＤＳＣＨ）のＱＣＬ関連性を使用するように決定することを含む、請求項２に記載の方法。
【請求項９】
前記ＱＣＬ関連性を決定することは、
ダウンリンクデータチャネルに対する許可において示されるレートマッチングされたリソース要素（ＲＥ）に対するＱＣＬ関連性に基づいて、前記ＱＣＬ関連性を決定することを含み、前記非周期的ＣＳＩ−ＲＳを処理することは、前記レートマッチングされたＲＥにおいて前記非周期的ＣＳＩ−ＲＳを処理することを含む、請求項１に記載の方法。
【請求項１０】
基地局（ＢＳ）によるワイヤレス通信のための方法であって、
物理チャネルに対する非周期的チャネル状態情報（ＣＳＩ）基準信号（ＣＳＩ−ＲＳ）の擬似コロケーション（ＱＣＬ）関連性を決定することと、
前記決定されたＱＣＬ関連性に従って、前記非周期的ＣＳＩ−ＲＳを送信することとを含む、方法。
【請求項１１】
前記ＱＣＬ関連性を決定することは、
前記非周期的ＣＳＩ−ＲＳと前記非周期的ＣＳＩ−ＲＳをスケジューリングするダウンリンク制御情報（ＤＣＩ）とに関連したオフセットパラメータ、および、
しきい値に基づく、請求項１０に記載の方法。
【請求項１２】
前記ＱＣＬ関連性を決定することは、
前記オフセットパラメータがまだ決定されていないとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項１１に記載の方法。
【請求項１３】
前記ＱＣＬ関連性を決定することは、
前記オフセットパラメータが前記しきい値よりも低いとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項１１に記載の方法。
【請求項１４】
前記ＱＣＬ関連性を決定することは、
前記オフセットパラメータがまだ決定されていないとき、別の送信の時間および周波数リソースの許可において示されるＱＣＬ関連性を使用するように決定することを含み、前記許可された時間および周波数リソースは、前記非周期的ＣＳＩ−ＲＳの時間および周波数リソースを含む、請求項１１に記載の方法。
【請求項１５】
前記ＱＣＬ関連性を決定することは、
前記オフセットパラメータが前記しきい値よりも低いとき、別の送信の時間および周波数リソースの許可において示されるＱＣＬ関連性を使用するように決定することを含み、前記許可された時間および周波数リソースは、前記非周期的ＣＳＩ−ＲＳの時間および周波数リソースを含む、請求項１１に記載の方法。
【請求項１６】
前記ＱＣＬ関連性を決定することは、
前記オフセットパラメータがまだ決定されていないとき、前記非周期的ＣＳＩ−ＲＳの時間および周波数リソースを含む時間および周波数リソースのセットについてのユニキャスト物理ダウンリンク共有チャネル（ＰＤＳＣＨ）のＱＣＬ関連性を使用するように決定することを含む、請求項１１に記載の方法。
【請求項１７】
前記ＱＣＬ関連性を決定することは、
前記オフセットパラメータが前記しきい値よりも低いとき、前記非周期的ＣＳＩ−ＲＳの時間および周波数リソースを含む時間および周波数リソースのセットについてのユニキャスト物理ダウンリンク共有チャネル（ＰＤＳＣＨ）のＱＣＬ関連性を使用するように決定することを含む、請求項１１に記載の方法。
【請求項１８】
前記ＱＣＬ関連性を決定することは、
前記物理チャネルとレートマッチングされたリソース要素（ＲＥ）に対するＱＣＬ関連性に基づいて、前記ＱＣＬ関連性を決定することを含み、
前記方法は、
別のＱＣＬ関連性に従って前記物理チャネルを送信することをさらに含む、請求項１０に記載の方法。
【請求項１９】
基地局（ＢＳ）によるワイヤレス通信のための方法であって、
物理チャネルに対する非周期的サウンディング基準情報（ＳＲＳ）の擬似コロケーション（ＱＣＬ）関連性を決定することと、
前記決定されたＱＣＬ関連性に従って、前記非周期的ＳＲＳを処理することとを含む、方法。
【請求項２０】
前記ＱＣＬ関連性を決定することは、
前記非周期的ＳＲＳと前記非周期的ＳＲＳをスケジューリングするダウンリンク制御情報（ＤＣＩ）とに関連したオフセットパラメータ、および、
しきい値に基づく、請求項１９に記載の方法。
【請求項２１】
前記ＱＣＬ関連性を決定することは、
前記オフセットパラメータがまだ決定されていないとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２０に記載の方法。
【請求項２２】
前記ＱＣＬ関連性を決定することは、
前記オフセットパラメータが前記しきい値よりも低いとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２０に記載の方法。
【請求項２３】
前記ＱＣＬ関連性を決定することは、
前記オフセットパラメータがまだ決定されていないとき、別の送信の時間および周波数リソースの許可において示されるＱＣＬ関連性を使用するように決定することを含み、前記許可された時間および周波数リソースは、前記非周期的ＳＲＳの時間および周波数リソースを含む、請求項２０に記載の方法。
【請求項２４】
前記ＱＣＬ関連性を決定することは、
前記オフセットパラメータが前記しきい値よりも低いとき、別の送信の時間および周波数リソースの許可において示されるＱＣＬ関連性を使用するように決定することを含み、前記許可された時間および周波数リソースは、前記非周期的ＳＲＳの時間および周波数リソースを含む、請求項２０に記載の方法。
【請求項２５】
ユーザ機器（ＵＥ）によるワイヤレス通信のための方法であって、
物理チャネルに対する非周期的サウンディング基準情報（ＳＲＳ）の擬似コロケーション（ＱＣＬ）関連性を決定することと、
前記決定されたＱＣＬ関連性に従って、前記非周期的ＳＲＳを送信することとを含む、方法。
【請求項２６】
前記ＱＣＬ関連性を決定することは、
前記非周期的ＳＲＳと前記非周期的ＳＲＳをスケジューリングするダウンリンク制御情報（ＤＣＩ）とに関連したオフセットパラメータ、および、
しきい値に基づく、請求項２５に記載の方法。
【請求項２７】
前記ＱＣＬ関連性を決定することは、
前記オフセットパラメータが前記ＵＥによってまだ決定されていないとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２６に記載の方法。
【請求項２８】
前記ＱＣＬ関連性を決定することは、
前記オフセットパラメータが前記しきい値よりも低いとき、最も低い識別子（ＣＯＲＥＳＥＴ−ＩＤ）を有する制御リソースセット（ＣＯＲＥＳＥＴ）の物理ダウンリンク制御チャネル（ＰＤＣＣＨ）のＱＣＬ関連性を使用するように決定することを含む、請求項２６に記載の方法。
【請求項２９】
前記ＱＣＬ関連性を決定することは、
前記オフセットパラメータが前記ＵＥによってまだ決定されていないとき、別の送信の時間および周波数リソースの許可において示されるＱＣＬ関連性を使用するように決定することを含み、前記許可された時間および周波数リソースは、前記非周期的ＳＲＳの時間および周波数リソースを含む、請求項２６に記載の方法。
【請求項３０】
前記ＱＣＬ関連性を決定することは、
前記オフセットパラメータが前記しきい値よりも低いとき、別の送信の時間および周波数リソースの許可において示されるＱＣＬ関連性を使用するように決定することを含み、前記許可された時間および周波数リソースは、前記非周期的ＳＲＳの時間および周波数リソースを含む、請求項２６に記載の方法。
【発明の詳細な説明】
【関連出願の相互参照】
【０００１】
[0001]  本願は、２０１８年１月２４日に出願された米国仮特許出願番号第６２／６２１，５３６号の利益および優先権を主張し２０１９年１月２２日に出願された米国出願番号第１６／２５３，６４２号の優先権を主張するもので、これらは両方とも本譲受人に譲渡され、これにより、それら全体が以下に完全に明らかにされるかのように参照により全ての適用可能な目的でここに明示的に組み込まれる。
【技術分野】
【０００２】
[0002]  本開示は、一般に通信システムに関し、より詳細には、ビーム形成を使用し、新無線（ＮＲ：new radio）テクノロジーに従って動作する通信システムにおいて、非周期的チャネル状態情報（ＣＳＩ）基準信号（ＣＳＩ−ＲＳ：channel state information reference signals）のための擬似コロケーション仮定(quasi co-location assumptions)を決定するための方法および装置に関する。
【背景技術】
【０００３】
[0003]  ワイヤレス通信システムは、電話、ビデオ、データ、メッセージング、および、ブロードキャストのような、様々な電気通信サービスを提供するために広く配備されている。典型的なワイヤレス通信システムは、利用可能なシステムリソース（例えば、帯域幅、送信電力）を共有することで複数のユーザとの通信をサポート可能な多元接続テクノロジーを採用し得る。このような多元接続テクノロジーの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含む。
【０００４】
[0004]  いくつかの例では、ワイヤレス多元接続通信システムが、ユーザ機器（ＵＥ：user equipment）としてそうでなければ知られる複数の通信デバイスのための通信を各々同時にサポートする多数の基地局を含む。ＬＴＥ（登録商標）またはＬＴＥ−Ａネットワークにおいて、１つ以上の基地局のセットは、ｅノードＢ（ｅＮＢ）を規定し得る。他の例では（例えば、次世代または５Ｇネットワークでは）、ワイヤレス多元接続通信システムが、多数の中央ユニット（ＣＵ：central unit）（例えば、中央ノード（ＣＮ：central node）、アクセスノード制御装置（ＡＮＣ：access node controller）等）と通信する、多数の分散ユニット（ＤＵ：distributed unit）（例えば、エッジユニット（ＥＵ：edge unit）、エッジノード（ＥＮ：edge node）、無線ヘッド（ＲＨ：radio head）、スマート無線ヘッド（ＳＲＨ：smart radio head）、送受信ポイント（ＴＲＰ：transmission and reception point）等）を含み得、中央ユニットと通信する１つ以上の分散ユニットのセットは、アクセスノード（例えば、新無線基地局（ＮＲ  ＢＳ：new radio base station）、新無線ノードＢ（ＮＲ  ＮＢ：new radio node-B）、ネットワークノード、５Ｇ  ＮＢ、ｇＮＢ等）を規定し得る。基地局またはＤＵは、（例えば、基地局からのまたはＵＥへの送信のための）ダウンリンクチャネル上で、および、（例えば、ＵＥから基地局または分散ユニットへの送信のための）アップリンクチャネル上で、ＵＥのセットと通信し得る。
【０００５】
[0005]  これら多元接続テクノロジーは、異なるワイヤレスデバイスが市区町村レベル、国レベル、地域レベル、さらにはグローバルレベルで通信することを可能にする共通のプロトコルを提供するために、様々な電気通信標準規格に採用されている。新興の電気通信標準規格の例は、新無線（ＮＲ）、例えば、５Ｇ無線接続である。ＮＲは、第３世代パートナーシッププロジェクト（３ＧＰＰ（登録商標））によって公表されたＬＴＥ移動体標準規格に対する拡張のセットである。ＮＲは、スペクトル効率を改善すること、コストを下げること、サービスを改善すること、新たなスペクトルを活用すること、およびダウンリンク（ＤＬ：downlink）上およびアップリンク（ＵＬ：uplink）上でサイクリックプリフィックス（ＣＰ：cyclic prefix）を有するＯＦＤＭＡを使用する他のオープン標準規格とより良く統合することにより、移動体ブロードバンドインターネットアクセスをより良くサポートするとともに、ビーム形成、複数入力複数出力（ＭＩＭＯ）アンテナテクノロジー、および、キャリアアグリゲーションをサポートするように設計されている。
【０００６】
[0006]  しかしながら、移動体ブロードバンドアクセスに対する需要が増加し続けるにつれて、ＮＲテクノロジーにおけるさらなる改善の必要性が存在する。好ましくは、これらの改善は、これらのテクノロジーを採用する他の多元接続テクノロジーおよび電気通信規格に適用可能であるべきである。
【発明の概要】
【０００７】
[0007]  本開示のシステム、方法、およびデバイスは各々いくつかの態様を有し、これらのうちのいずれかがその望ましい属性を単独で担うことはない。後続する特許請求の範囲によって表される本開示の範囲を限定することなく、ここでいくつかの特徴が簡潔に論じられる。本議論を考慮した後、特に「詳細な説明」と題されたセクションを読んだ後、当業者は、本開示の特徴がワイヤレスネットワークにおけるアクセスポイントと局との間での改善された通信を含む利点をどのように提供するかを理解するであろう。
【０００８】
[0008]  本開示のある態様は、概して、新無線（ＮＲ）テクノロジーに従って動作する通信システムにおける非周期的チャネル状態情報（ＣＳＩ）基準信号（ＲＳ）のための擬似コロケーション仮定に関する。
【０００９】
[0009]  ある態様は、ユーザ機器によるワイヤレス通信のための方法を提供する。この方法は、概して、物理チャネルに対する非周期的チャネル状態情報（ＣＳＩ）基準信号（ＣＳＩ−ＲＳ）の擬似コロケーション（ＱＣＬ）関連性を決定することと、決定されたＱＣＬ関連性に従って、非周期的ＣＳＩ−ＲＳを処理することとを含む。
【００１０】
[0010]  ある態様は、基地局によるワイヤレス通信のための方法を提供する。方法は、概して、物理チャネルに対する非周期的チャネル状態情報（ＣＳＩ）基準信号（ＣＳＩ−ＲＳ）の擬似コロケーション（ＱＣＬ）関連性を決定することと、決定されたＱＣＬ関連性に従って、非周期的ＣＳＩ−ＲＳを送信することとを含む。
【００１１】
[0011]  ある態様は、基地局によるワイヤレス通信のための方法を提供する。この方法は、概して、物理チャネルに対する非周期的サウンディング基準情報（ＳＲＳ）の擬似コロケーション（ＱＣＬ）関連性を決定することと、決定されたＱＣＬ関連性に従って、非周期的ＳＲＳを処理することとを含む。
【００１２】
[0012]  ある態様は、ユーザ機器によるワイヤレス通信のための方法を提供する。この方法は、概して、物理チャネルに対する非周期的サウンディング基準情報（ＳＲＳ）の擬似コロケーション（ＱＣＬ）関連性を決定することと、決定されたＱＣＬ関連性に従って、非周期的ＳＲＳを送信することとを含む。
【００１３】
[0013]  態様は、概して、添付の図面を参照してここで実質的に説明したような、および、添付の図面によって図示されるような、方法、装置、システム、コンピュータ読取可能媒体、および、処理システムを含む。
【００１４】
[0014]  上述した目的および関連する目的の達成のために、１つ以上の態様は、ここにおいて後に十分に説明され、特許請求の範囲において特に指摘される特徴を含む。続く説明および添付の図面は、１つ以上の態様のある例示的な特徴を詳細に説明する。しかしながら、これらの特徴は、様々な態様の原理が採用され得る、様々な方法のうちのいくつかだけを示しており、この説明は、このような全ての態様、および、これらの均等物を含むように意図される。
【図面の簡単な説明】
【００１５】
[0015]  本開示の先に記載した特徴を詳細に理解できるように、上で簡単に要約されたもののより特定の説明が態様への参照によって得られてよく、態様のうちのいくつかは、添付した図面に図示される。しかしながら、添付された図面は、この開示のある特定の典型的な態様のみを図示しており、従って、説明は他の同等に効果的な態様を認めることができることから、その範囲を限定するものと考慮すべきでないことに留意されたい。
【図１】本開示のある態様に従う、例示的な電気通信システムを概念的に図示するブロックダイヤグラムである。
【図２】本開示のある態様に従う、分散型ＲＡＮの例示的な物理アーキテクチャを図示するブロックダイヤグラムである。
【図３】本開示のある態様に従う、分散型ＲＡＮの例示的な物理アーキテクチャを図示するダイヤグラムである。
【図４】本開示のある態様に従う、例示的なＢＳとユーザ機器（ＵＥ）の設計を概念的に図示するブロックダイヤグラムである。
【図５】本開示のある特定の態様に従う、通信プロトコルスタックを実施する例を示すダイヤグラムである。
【図６】本開示のある態様に従う、ＤＬ中心サブフレームの例を図示する。
【図７】本開示のある態様に従う、ＵＬ中心サブフレームの例を図示する。
【図８】本開示のある特定の態様に従う、ワイヤレス通信ネットワークの例を示す。
【図９】本開示のある特定の態様に従う、ワイヤレス通信に関する例示的な動作を図示する。
【図１０】本開示のある特定の態様に従う、ワイヤレス通信に関する例示的な動作を図示する。
【図１１】本開示の態様に従う、例示的な送信タイムラインを図示する。
【図１２】本開示のある特定の態様に従う、ワイヤレス通信に関する例示的な動作を図示する。
【図１３】本開示のある特定の態様に従う、ワイヤレス通信に関する例示的な動作を図示する。
【００１６】
[0029]  理解を容易にするため、可能な限り、同一の参照番号が図面に共通の同一の要素を指すように使用される。１つの態様に開示される要素は、特定の記載なしに、他の態様で有益に利用し得ることが企図される。
【詳細な説明】
【００１７】
[0030]  本開示の態様は、ＮＲ（新無線アクセステクノロジーまたは５Ｇテクノロジー）に対する装置、方法、処理システム、および、コンピュータ読取可能媒体を提供する。
【００１８】
[0031]  ＮＲは、広帯域幅（例えば、８０ＭＨｚ以上）通信を目標とする拡張移動体ブロードバンド（ｅＭＢＢ：Enhanced mobile broadband）サービス、高搬送波周波数（例えば、２７ＧＨｚ以上）通信を目標とするミリ波（ｍｍＷ）サービス、非下位互換性機械タイプ通信（ＭＴＣ：machine-type communication）技術を目標とする大量機械タイプ通信（ｍＭＴＣ：massive machine-type communication）サービス、および／または、超高信頼低遅延通信（ＵＲＬＬＣ：massive machine-type communication）を目標とするミッションクリティカルサービスのような、様々なワイヤレス通信サービスをサポートし得る。これらのサービスは、待ち時間と信頼性の要件を含み得る。これらのサービスはまた、それぞれのサービス品質（ＱｏＳ：quality of service）の要件を満たすために、異なる送信時間間隔（ＴＴＩ：transmission time interval）を有し得る。さらに、これらのサービスは、同じサブフレームに共存し得る。
【００１９】
[0032]  本開示の態様は、ＮＲ技術に従って動作する通信システムにおける非周期的チャネル状態情報（ＣＳＩ：channel state information）基準信号（ＲＳ：reference signal）のための擬似コロケーション仮定に関する。本開示の態様によれば、非周期的ＣＳＩ−ＲＳがＰＤＳＣＨ（例えば、ダウンリンクデータチャネル）で周波数分割多重化（ＦＤＭ）および／または時分割多重化（ＴＤＭ）されるとき、非周期的ＣＳＩ−ＲＳ  ＱＣＬ関連性を決定するための技術が提供される。
【００２０】
[0033]  以下の説明は、例を提供するものであり、特許請求の範囲において記載する範囲、適用可能性、または例を限定しない。論じられた要素の機能および構成において本開示の範囲から逸脱することなく変更が行われ得る。様々な例は、適切に、様々な手順またはコンポーネントを、省略、置換、または追加し得る。例えば、説明する方法は、説明したものとは異なる順序で行ってよく、様々なステップを追加、省略、または組み合わせてもよい。さらに、いくつかの例に関して説明した特徴は、何か他の例において組み合わせてもよい。例えば、ここで述べる任意の数の態様を使用し、装置が実施されるか、または、方法が実践され得る。さらに、本開示の範囲は、ここに明記された本開示の様々な態様に加えてまたはそれ以外に、他の構造、機能性または、構造および機能性を使用して実践されるこのような装置または方法をカバーすることを意図する。ここに開示される本開示の任意の態様は、請求項の１つ以上の要素によって具現化し得ることを理解すべきである。「典型的」という単語は、「例、事例、実例として機能すること」を意味するようにここで使用される。「例示的」として、ここで述べるいずれの態様も、他の態様と比較して、必ずしも好ましいものとして、または、有利なものとして解釈すべきでない。
【００２１】
[0034]  ここで述べる技術を、ＬＴＥや、ＣＤＭＡや、ＴＤＭＡや、ＦＤＭＡや、ＯＦＤＭＡや、ＳＣ−ＦＤＭＡや、他のネットワークのような様々なワイヤレス通信ネットワークに対して使用され得る。用語「ネットワーク」および「システム」は、同義で使用されることが多い。ＣＤＭＡネットワークは、ユニバーサル地上無線アクセス（ＵＴＲＡ）、ＣＤＭＡ２０００、などのような無線テクノロジーを実施し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６標準規格をカバーする。ＴＤＭＡネットワークは、移動体通信のためのグローバルシステム（ＧＳＭ（登録商標））のような無線テクノロジーを実施し得る。ＯＦＤＭＡネットワークは、ＮＲ（例えば、５Ｇ  ＲＡ）、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線テクノロジーを実施し得る。ＵＴＲＡおよびＥ−ＵＴＲＡは、ユニバーサルモバイル電気通信システム（ＵＭＴＳ）の一部である。ＮＲは、５Ｇテクノロジーフォーラム（５ＧＴＦ）に関連して開発中である新興のワイヤレス通信テクノロジーである。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、および、ＧＳＭは、「第３世代パートナーシッププロジェクト」（３ＧＰＰ）という名の組織からの文書において説明されている。ｃｄｍａ２０００およびＵＭＢは、「第３世代パートナーシッププロジェクト２」（３ＧＰＰ２）という名の組織からの文書において説明されている。ここで説明される技術は、他のワイヤレスネットワークおよび無線テクノロジーと同様に、上述したワイヤレスネットワークおよび無線テクノロジーのために使用され得る。明確にするために、３Ｇおよび／または４Ｇワイヤレステクノロジーに共通に関連する専門用語を使用して、ここでは態様を説明しているが、本開示の態様は、ＮＲテクノロジーを含む、５Ｇおよびその後のもののような、他世代ベースの通信システムに適用できる。
【００２２】
例示的なワイヤレス通信システム  
[0035]  図１は、以下により詳細に説明するような、例えば、接続セッションおよびインターネットプロトコル（ＩＰ）確立を可能にするために本開示の態様が行われ得る、新無線（ＮＲ）または５Ｇネットワークのような例示的なワイヤレスネットワーク１００を図示する。
【００２３】
[0036]  図１に図示されるように、ワイヤレスネットワーク１００は、多数のＢＳ１１０および他のネットワークエンティティを含み得る。ＢＳは、ＵＥと通信する局であり得る。各ＢＳ１１０は、特定の地理的エリアに対する通信カバレッジを提供し得る。３ＧＰＰにおいて、用語「セル」は、用語が使用される文脈に依存し、ノードＢのカバレッジエリア、および／または、このカバレッジエリアを担当するノードＢサブシステムのカバレッジエリアを指すことがある。ＮＲシステムでは、用語「セル」と、ｅＮＢ、ノードＢ、５Ｇ  ＮＢ、アクセスポイント、ＮＲ  ＢＳ、ＮＲ  ＢＳ、またはＴＲＰとは同義であり得る。いくつかの例において、セルは、必ずしも静的でなくてよく、セルの地理的エリアは、移動体基地局のロケーションに従って移動し得る。いくつかの例において、基地局は、互いに、並びに／あるいは、ワイヤレス通信ネットワーク１００における１つ以上の他の基地局またはネットワークノード（図示せず）と、直接的物理接続、仮想ネットワーク、または、任意の適切な伝送ネットワークを使用するこれらに類するもののような、様々なタイプのバックホールインターフェースを通して、相互接続され得る。
【００２４】
[0037]  一般には、任意の数のワイヤレスネットワークが所定の地理的エリアに配備され得る。各ワイヤレスネットワークは、特定の無線アクセステクノロジー（ＲＡＴ）をサポートし得、１つ以上の周波数で動作し得る。ＲＡＴはまた、無線テクノロジー、エアインタフェース等と呼ばれ得る。周波数はまた、搬送波、周波数チャネル等と呼ばれ得る。各周波数は、異なるＲＡＴのワイヤレスネットワーク間の干渉を避けるために、所定の地理的エリアにおける単一のＲＡＴをサポートし得る。いくつかのケースでは、ＮＲまたは５Ｇ  ＲＡＴネットワークが配備され得る。
【００２５】
[0038]  ＢＳは、マクロセル、ピコセル、フェムトセル、および／または、他のタイプのセルに対する通信カバレッジを提供し得る。マクロセルは、比較的広い地理エリア（例えば、半径数キロメートル）をカバーし、サービス加入を有するＵＥによる無制限のアクセスを可能にし得る。ピコセルは、比較的狭い地理エリアをカバーし、サービス加入を有するＵＥによる無制限のアクセスを可能にし得る。フェムトセルは、比較的狭い地理的エリア（例えば、家）をカバーでき、フェムトセルとの関係を有するＵＥ（例えば、閉じられた加入者グループ（ＣＳＧ：Closed Subscriber Group）中のＵＥ、家中のユーザに対するＵＥ等）による制限されたアクセスを可能にし得る。マクロセルに対するＢＳは、マクロＢＳとして呼ばれ得る。ピコセルに対するＢＳは、ピコＢＳとして呼ばれ得る。フェムトセルに対するＢＳは、フェムトＢＳまたはホームＢＳとして呼ばれ得る。図１に示される例では、ＢＳ１１０ａ、１１０ｂ、および１１０ｃがそれぞれ、マクロセル１０２ａ、１０２ｂ、および１０２ｃのためのマクロＢＳであり得る。ＢＳ１１０ｘは、ピコセル１０２ｘに対するピコＢＳであり得る。ＢＳ１１０ｙおよび１１０ｚは、それぞれフェムトセル１０２ｙおよび１０２ｚのためのフェムトＢＳであり得る。ＢＳは、１つ以上（例えば、３つ）のセルをサポートし得る。
【００２６】
[0039]  ワイヤレスネットワーク１００はまた、中継局を含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥに対する送信を中継するＵＥであり得る。図１で示される例では、中継局１１０ｒが、ＢＳ１１０ａとＵＥ１２０ｒとの間の通信を促進するために、ＢＳ１１０ａおよびＵＥ１２０ｒと通信し得る。中継局はまた、中継ＢＳ、中継器等として呼ばれ得る。
【００２７】
[0040]  ワイヤレスネットワーク１００は、異なるタイプのＢＳ（例えば、マクロＢＳ、ピコＢＳ、フェムトＢＳ、中継器等）を含むヘテロジニアスネットワークであり得る。これらの異なるタイプのＢＳは、ワイヤレスネットワーク１００において、異なる送信電力レベル、異なるカバレッジエリア、および干渉に対する異なる影響を有し得る。例えば、マクロＢＳは、高い送信電力レベル（例えば、２０ワット）を有し得ることに対し、ピコＢＳ、フェムトＢＳ、および、中継器は、より低い送信電力レベル（例えば、１ワット）を有し得る。
【００２８】
[0041]  ワイヤレスネットワーク１００は、同期または非同期動作をサポートし得る。同期動作について、ＢＳは、同様のフレームタイミングを有し得、異なるＢＳからの送信は、時間的にほぼ整列され得る。非同期動作について、ＢＳは、異なるフレームタイミングを有し得、異なるＢＳからの送信は、時間的に整列され得る。ここで述べた技術は、同期および非同期動作の両方に対して使用され得る。
【００２９】
[0042]  ネットワーク制御装置１３０は、ＢＳのセットに結合され、これらのＢＳに対する調整および制御を提供し得る。ネットワーク制御装置１３０は、バックホールを介してＢＳ１１０と通信し得る。ＢＳ１１０はまた、ワイヤレスまたはワイヤラインバックホールを介して、例えば、直接的または間接的に互いに通信し得る。
【００３０】
[0043]  ＵＥ１２０（例えば、１２０ｘ、１２０ｙ等）は、ワイヤレスネットワーク１００全体を通して分散し得、各ＵＥは、静的または移動体であり得る。ＵＥはまた、移動局、端末、アクセス端末、加入者ユニット、局、顧客構内機器（ＣＰＥ）、セルラ電話機、スマートフォン、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、スマートウォッチや、スマートクロージングや、スマートグラスや、スマートリストバンドや、スマートジュエリー（例えば、スマートリング、スマートブレスレット等）のようなウェアラブルデバイス、エンターテイメントデバイス（例えば、音楽デバイス、ビデオデバイス、衛星ラジオ等）、車両コンポーネントまたはセンサ、スマートメーター／センサ、産業製造機器、グローバルポジショニングシステムデバイス、あるいは、ワイヤレスまたはワイヤード媒体を介して通信するように構成される何か他の適切なデバイスとして呼ばれることがある。いくつかのＵＥは、進化型または機械タイプ通信（ＭＴＣ）デバイスあるいは進化型ＭＴＣ（ｅＭＴＣ）と見なし得る。ＭＴＣおよびｅＭＴＣ  ＵＥは、ＢＳ、別のデバイス（例えば、遠隔デバイス）、または、何か他のエンティティと通信し得る、例えば、ロボット、ドローン、遠隔デバイス、センサ、メーター、モニタ、ロケーションタグ等を含む。ワイヤレスノードは、例えば、ワイヤードまたはワイヤレス通信リンクを介して、ネットワーク（例えば、インターネットまたはセルラネットワークのようなワイドエリアネットワーク）のための、あるいは、ネットワークへの接続性を提供し得る。いくつかのＵＥは、インターネットオブシングス（ＩｏＴ）デバイスと見なされ得る。
【００３１】
[0044]  図１において、両側矢印の実線は、ＵＥと担当ＢＳとの間の所望の送信を示し、担当ＢＳは、ダウンリンクおよび／またはアップリンク上でＵＥを担当するように指定されたＢＳである。両側矢印の破線は、ＵＥとＢＳとの間の干渉する送信を示す。
【００３２】
[0045]  あるワイヤレスネットワーク（例えば、ＬＴＥ）は、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、システム帯域幅を複数（Ｋ個）の直交副搬送波に分割し、これはまた、一般にトーンやビンなどと呼ばれる。各副搬送波は、データで変調され得る。一般には、変調シンボルが、ＯＦＤＭについてて周波数ドメインで送られ、ＳＣ−ＦＤＭＡについて時間ドメインで送られる。隣接副搬送波間の間隔は固定され得、副搬送波の総数（Ｋ個）は、システム帯域幅に依存し得る。例えば、副搬送波の間隔は、１５ｋＨｚであり得、最小リソース割り振り（「リソースブロック」と呼ばれる）は、１２副搬送波（または１８０ｋＨｚ）であり得る。結果的に、公称ＦＦＴサイズは、１．２５、２．５、５、１０、または、２０メガヘルツ（ＭＨｚ）のシステム帯域幅に対して、それぞれ、１２８、２５６、５１２、１０２４、または、２０４８と等しくあり得る。システム帯域幅はまた、副帯域に区分し得る。例えば、副帯域は、１．０８ＭＨｚ（すなわち、６個のリソースブロック）をカバーし得、１．２５、２．５、５、１０、または、２０ＭＨｚのシステム帯域幅に対して、それぞれ１、２、４、８、または、１６個の副帯域が存在し得る。
【００３３】
[0046]  ここで述べる例の態様は、ＬＴＥテクノロジーに関連し得るが、本開示の態様は、ＮＲのような他のワイヤレス通信システムに適用可能であり得る。ＮＲは、アップリンクおよびダウンリンク上でＣＰを有するＯＦＤＭを利用し得、時分割デュプレクス（ＴＤＤ）を使用する半二重動作に対するサポートを含み得る。１００ＭＨｚの単一のコンポーネント搬送波帯域幅をサポートし得る。ＮＲリソースブロックは、０．１ｍｓ期間に渡り、７５ｋＨｚの副搬送波帯域幅を有する１２個の副搬送波に及び得る。各無線フレームは、１０ｍｓの長さを有して２つの半フレームからなり得、各半フレームは、５つのサブフレームからなり得る。結果として、各サブフレームは、１ｍｓの長さを有し得る。各サブフレームは、データ送信のためのリンク方向（すなわち、ＤＬまたはＵＬ）を示し得、各サブフレームに対するリンク方向は動的に切り替わり得る。各サブフレームは、ＤＬ／ＵＬデータとともにＤＬ／ＵＬ制御データを含み得る。ＮＲに対するＵＬおよびＤＬサブフレームは、図６および７に関して以下でより詳細に説明されるようなものであり得る。ビーム形成をサポートし得、ビーム方向を動的に構成し得る。プリコーディングを有するＭＩＭＯ送信もサポートし得る。ＤＬにおけるＭＩＭＯコンフィギュレーションは、８本までの送信アンテナをサポートし得、マルチレイヤＤＬ送信は、８ストリームまでであり、ＵＥ毎に２ストリームまでである。ＵＥ毎に２ストリームまでのマルチレイヤ送信をサポートし得る。複数のセルのアグリゲーションを、８個までの担当セルによりサポートし得る。代替的に、ＮＲは、ＯＦＤＭベース以外の異なるエアインターフェースをサポートし得る。ＮＲネットワークは、ＣＵまたはＤＵのようなエンティティを含み得る。
【００３４】
[0047]  いくつかの例では、エアインターフェースへのアクセスが、スケジューリングされ得、スケジューリングエンティティ（例えば、基地局）は、その担当エリアまたはセル内の、いくつかのまたは全てのデバイスおよび機器間での通信のためのリソースを割り振る。本開示内において、以下でさらに論じられるように、スケジューリングエンティティは、１つ以上の下位エンティティに対するリソースを、スケジューリングすること、割り当てること、再構成すること、および、解放することを担い得る。すなわち、スケジューリングされた通信に対して、下位エンティティは、スケジューリングエンティティによって割り振られるリソースを利用する。基地局は、スケジューリングエンティティとして機能し得る唯一のエンティティでない。すなわち、いくつかの例において、ＵＥは、１つ以上の下位エンティティ（例えば、１つ以上の他のＵＥ）のためのリソースをスケジューリングするスケジューリングエンティティとして機能し得る。この例では、ＵＥがスケジューリングエンティティとして機能し、他のＵＥは、ワイヤレス通信のためにＵＥによってスケジューリングされるリソースを利用する。ＵＥは、ピアツーピア（Ｐ２Ｐ）ネットワーク、および／または、メッシュネットワークにおいて、スケジューリングエンティティとして機能し得る。メッシュネットワークの例では、ＵＥが、スケジューリングエンティティと通信することに加えて、オプション的に、互いに直接通信し得る。
【００３５】
[0048]  従って、時間周波数リソースへのスケジューリングされたアクセスを有し、そして、セルラコンフィギュレーション、Ｐ２Ｐコンフィギュレーション、および、メッシュコンフィギュレーションを有する、ワイヤレス通信ネットワークにおいて、スケジューリングエンティティおよび１つ以上の下位エンティティは、スケジューリングされたリソースを利用して通信し得る。
【００３６】
[0049]  上述のように、ＲＡＮは、ＣＵとＤＵとを含み得る。ＮＲ  ＢＳ（例えば、ｇＮＢ、５ＧノードＢ、ノードＢ、送受信ポイント（ＴＲＰ：transmission and reception point）、アクセスポイント）は、１つ以上のＢＳに対応し得る。ＮＲセルは、アクセスセル（Ａセル）またはデータのみのセル（Ｄセル）として構成できる。例えば、ＲＡＮ（例えば、中央ユニットまたは分散ユニット）は、セルを構成できる。Ｄセルは、キャリアアグリゲーションまたはデュアル接続に対して使用されるセルであり得るが、初期アクセス、セル選択／再選択、またはハンドオーバーに対して使用されない。いくつかのケースにおいて、Ｄセルは、同期信号を送信しなくてよく、いくつかのケースにおいて、Ｄセルは、ＳＳを送信し得る。ＮＲ  ＢＳは、セルタイプを示すダウンリンク信号をＵＥに送信し得る。セルタイプ表示に基づいて、ＵＥは、ＮＲ  ＢＳと通信し得る。例えば、ＵＥは、示されたセルタイプに基づいて、セル選択、アクセス、ハンドオーバー（ＨＯ：handover）、および／または、測定について考慮するためにＮＲ  ＢＳを決定し得る。
【００３７】
[0050]  図２は、分散型無線アクセスネットワーク（ＲＡＮ：radio access network）２００の例示的な論理アーキテクチャを図示しており、これは、図１に図示されるワイヤレス通信ネットワーク１００中で実施され得る。５Ｇアクセスノード２０６は、アクセスノード制御装置（ＡＮＣ：access node controller）２０２を含み得る。ＡＮＣは、分散ＲＡＮ７００の中央ユニット（ＣＵ：central unit）であり得る。次世代コアネットワーク（ＮＧ−ＣＮ：next generation core network）２０４へのバックホールインタフェースは、ＡＮＣで終端し得る。隣接する次世代アクセスノード（ＮＧ−ＡＮ）へのバックホールインタフェースは、ＡＮＣで終端し得る。ＡＮＣは、（ＢＳ、ＮＲ  ＢＳ、ノードＢ、５Ｇ  ＮＢ、アクセスポイント、または、何か他の用語として呼ばれることもある）１つ以上のＴＲＰ２０８を含み得る。上述のように、ＴＲＰは、「セル」と同義で使用され得る。
【００３８】
[0051]  ＴＲＰ２０８は、ＤＵであり得る。ＴＲＰは、１つのＡＮＣ（ＡＮＣ２０２）に接続され得、または、（図示していない）１つより多くのＡＮＣに接続され得る。例えば、ＲＡＮ共有、ラジオアズアサービス（ＲａａＳ：radio as a service）、および、サービス特有のＡＮＤ配備に対して、ＴＲＰは、１より多くのＡＮＣに接続され得る。ＴＲＰは、１つ以上のアンテナポートを含み得る。ＴＲＰは、個々に（例えば、動的選択）、または、一緒に（例えば、ジョイント送信）、ＵＥへのトラフィックを供給するように構成され得る。
【００３９】
[0052]  ローカルアーキテクチャ２００は、フロントホール定義を図示すために使用され得る。アーキテクチャは、異なる配備タイプに渡ってフロントホール解決法をサポートすると規定され得る。例えば、アーキテクチャは、送信ネットワーク能力（例えば、帯域幅、待ち時間、および／または、ジッタ）に基づき得る。
【００４０】
[0053]  アーキテクチャは、ＬＴＥと、特徴および／またはコンポーネントを共有し得る。態様によれば、次世代ＡＮ（ＮＧ−ＡＮ）２１０は、ＮＲとのデュアル接続をサポートし得る。ＮＧ−ＡＮは、ＬＴＥおよびＲＮに対する共通のフロントホールを共有し得る。
【００４１】
[0054]  アーキテクチャは、複数のＴＲＰ２０８内および間での協力を可能にし得る。例えば、協力は、ＡあるＴＲＰ内でおよび／または複数のＴＲＰに渡ってＮＣ２０２を介して事前設定され得る。態様によれば、ＴＲＰ間インターフェースが、必要とされないおよび／または存在しないことがあり得る。
【００４２】
[0055]  態様によれば、分割された論理機能の動的なコンフィギュレーションが、アーキテクチャ２００内に存在し得る。無線リソース制御（ＲＲＣ：Radio Resource Control）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、および物理（ＰＨＹ：Physical）レイヤは、ＤＵ（例えば、ＴＲＰ２０８）またはＣＵ（例えば、ＡＮＣ２０２）に適応可能に配置され得る。ある態様によれば、ＢＳは、中央ユニット（ＣＵ）（例えば、ＡＮＣ２０２）および／または１つ以上の分散ユニット（例えば、１つ以上のＴＲＰ２０８）を含み得る。
【００４３】
[0056]  図３は、本開示の態様に従う、分散ＲＡＮ３００の例示的な物理的アーキテクチャを図示する。集中型コアネットワークユニット（Ｃ−ＣＵ：centralized core network unit）３０２は、コアネットワーク機能をホスト管理し得る。Ｃ−ＣＵは、中央に配備され得る。Ｃ−ＣＵ機能性は、ピーク能力を取り扱おうとして、（例えば、アドバンストワイヤレスサービス（ＡＷＳ）に）オフロードし得る。
【００４４】
[0057]  集中型ＲＡＮユニット（Ｃ−ＲＵ：centralized RAN unit）３０４は、１つ以上のＡＮＣ機能をホスト管理し得る。オプション的に、Ｃ−ＲＵは、コアネットワーク機能をローカルにホスト管理し得る。Ｃ−ＲＵは、分散された配備を有し得る。Ｃ−ＲＵは、ネットワークエッジに対してより近くにあり得る。
【００４５】
[0058]  ＤＵ３０６は、１つ以上のＴＲＰ（エッジノード（ＥＮ：edge node）、エッジユニット（ＥＵ：edge unit）、無線ヘッド（ＲＨ：radio head）、スマート無線ヘッド（ＳＲＨ）、または、これらに類するもの）をホスト管理し得る。ＤＵは、無線周波数（ＲＦ）機能性により、ネットワークのエッジに位置付けられ得る。
【００４６】
[0059]  図４は、本開示の態様を実施するために使用され得る、図１に図示されたＢＳ１１０およびＵＥ１２０の例示的なコンポーネントを図示する。上述したように、基地局はＴＲＰを含み得る。ＢＳ１１０およびＵＥ１２０の１つ以上のコンポーネントは、本開示の態様を実施するために使用され得る。例えば、アンテナ４５２、Ｔｘ／Ｒｘ２２２、プロセッサ４６６、４５８、４６４、並びに／あるいは、ＵＥ１２０および／またはアンテナ４３４の制御装置／プロセッサ４８０、プロセッサ４６０、４２０、４３８、並びに／あるいは、ＢＳ１１０の制御装置／プロセッサ４４０は、ここで説明し、図９および１０を参照して図示する動作を行うために使用され得る。
【００４７】
[0060]  図４は、図１におけるＢＳのうちの１つおよびＵＥのうちの１つであり得る、ＢＳ１１０およびＵＥ１２０の設計のブロックダイヤグラムを示す。制限された関連付けシナリオにおいて、基地局１１０は、図１におけるマクロＢＳ１１０ｃであり得、ＵＥ１２０は、ＵＥ１２０ｙであり得る。基地局１１０はまた、何か他のタイプの基地局であり得る。基地局１１０は、アンテナ４３４ａ〜４３４ｔを備え、ＵＥ１２０はアンテナ４５２ａ〜４５２ｒを備え得る。
【００４８】
[0061]  基地局１１０において、送信プロセッサ４２０は、データソース４１２からのデータおよび制御装置／プロセッサ４４０からの制御情報を受け取り得る。制御情報は、物理ブロードキャストチャネル（ＰＢＣＨ：Physical Broadcast Channel）、物理制御フォーマットインジケータチャネル（ＰＣＦＩＣＨ：Physical Control Format Indicator Channel）、物理ハイブリットＡＲＱインジケータチャネル（ＰＨＩＣＨ：Physical Hybrid ARQ Indicator Channel）、物理ダウンリンク制御チャネル（ＰＤＣＣＨ：Physical Downlink Control Channel）等のためのものであり得る。データは、物理ダウンリンク共有チャネル（ＰＤＳＣＨ：Physical Downlink Shared Channel）等のためのものであり得る。プロセッサ４２０は、データおよび制御情報を処理して（例えばエンコードし、シンボルマッピングして）、データシンボルと制御シンボルをそれぞれ取得し得る。プロセッサ４２０はまた、例えば、ＰＳＳ、ＳＳＳのような基準シンボルと、セル固有基準信号とを生成し得る。送信（ＴＸ）複数入力複数出力（ＭＩＭＯ）プロセッサ４３０は、適用可能な場合、データシンボル、制御シンボル、および／または基準シンボル上で空間処理（例えば、プリコーディング）を行い得、出力シンボルストリームを変調器（ＭＯＤ）４３２ａ〜４３２ｔに提供し得る。例えば、ＴＸ  ＭＩＭＯプロセッサ４３０は、ＲＳ多重化のためにここで述べるある態様を行い得る。各変調器４３２は、（例えば、ＯＦＤＭ等のための）それぞれの出力シンボルストリームを処理して、出力サンプルストリームを取得し得る。各変調器４３２はさらに、出力サンプルストリームを処理（例えば、アナログに変換、増幅、フィルタリング、および、アップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００４９】
[0062]  ＵＥ１２０において、アンテナ４５２ａ〜４５２ｒは、基地局１１０からダウンリンク信号を受信し得、また、それぞれ復調器（ＤＥＭＯＤ：demodulator）４５４ａ〜４５４ｒに受信信号を提供し得る。各復調器４５４は、それぞれの受信信号を調整（例えば、フィルタ、増幅、ダウンコンバート、およびデジタル化）して、入力サンプルを取得し得る。各復調器４５４はさらに、（例えば、ＯＦＤＭ等のために）入力サンプルを処理して、受信したシンボルを取得し得る。ＭＩＭＯ検出器４５６は、全ての復調器４５４ａ〜４５４ｒから受信したシンボルを取得し、適用可能な場合、受信したシンボルにおいてＭＩＭＯ検出を行い、検出したシンボルを提供し得る。例えば、ＭＩＭＯ検出器４５６は、ここで述べた技術を使用して送信された、検出されたＲＳを提供し得る。受信プロセッサ４５８は、検出されたシンボルを処理（例えば、復調、デインタリーブ、および、デコード）し、ＵＥ１２０のためのデコードされたデータをデータシンク４６０に提供し、デコードされた制御情報を制御装置／プロセッサ４８０に提供し得る。
【００５０】
[0063]  アップリンク上では、ＵＥ１２０で、送信プロセッサ４６４が、データソース４６２からのデータ（例えば、物理アップリンク共有チャネル（ＰＵＳＣＨ）のための）を受信して処理し得、制御装置／プロセッサ４８０からの制御情報（例えば、物理アップリンク制御チャネル（ＰＵＣＣＨ）のための）を受信して処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコーディングされ、さらに、（例えば、ＳＣ−ＦＤＭ等のための）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合、ＭＩＭＯ検出器４３６によって検出され、さらに受信プロセッサ４３８によって処理されて、ＵＥ１２０によって送られてデコードされたデータおよび制御情報を取得し得る。受信プロセッサ４３８は、デコードされたデータをデータシンク４３９に提供し、デコードされた制御情報を制御装置／プロセッサ４４０に提供し得る。
【００５１】
[0064]  制御装置／プロセッサ４４０および４８０は、それぞれ、基地局１１０およびＵＥ１２０における動作を指示し得る。プロセッサ４４０および／またはＵＥ１２０における他のプロセッサおよびモジュールはまた、図１３に図示される機能ブロック、および／または、ここで説明される技術のための他のプロセスの実行を、行うかまたは指示し得る。プロセッサ４８０および／あるいはＵＥ１２０におけるの他のプロセッサおよびモジュールはまた、ここで説明される技術のためのプロセスを行うかまたは指示し得る。メモリ４４２および４８２は、それぞれＢＳ１１０およびＵＥ１２０のためのデータおよびプログラムコードを記憶できる。スケジューラ４４４は、ダウンリンクおよび／あるいはアップリンク上のデータ送信のためにＵＥをスケジューリングし得る。
【００５２】
[0065]  図５は、本開示の態様に従う、通信プロトコルスタックを実施するための例を示すダイヤグラム５００を図示する。図示される通信プロトコルスタックは、５Ｇシステム（例えば、アップリンクベースのモビリティをサポートするシステム）において動作するデバイスによって実施し得る。ダイヤグラム５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および、物理（ＰＨＹ）レイヤ５３０を含む通信プロトコルスタックを図示する。様々な例において、プロトコルスタックのレイヤは、ソフトウェアの別個のモジュール、プロセッサまたはＡＳＩＣの一部分、通信リンクによって接続される非コロケートデバイスの一部分、あるいは、これらの様々な組み合わせとして実施し得る。コロケートおよび非コロケート実施形態は、例えば、ネットワークアクセスデバイス（例えば、ＡＮ、ＣＵ、および／または、ＤＵ）またはＵＥのためのプロトコルスタックで使用され得る。
【００５３】
[0066]  第１のオプション５０５−ａはプロトコルスタックの分割実施形態を示し、ここにおいてプロトコルスタックの実施形態は、集中型ネットワークアクセスデバイス（例えば、図２におけるＡＮＣ２０２）と分散型ネットワークアクセスデバイス（例えば、図２におけるＤＵ２０８）との間で分割される。第１のオプション５０５−ａにおいて、ＲＲＣレイヤ５１０とＰＤＣＰレイヤ５１５は、中央ユニットによって実施し得、ＲＬＣレイヤ５２０、ＭＡＣレイヤ５２５、および、ＰＨＹレイヤ５３０は、ＤＵによって実施し得る。様々例において、ＣＵおよびＤＵは、コロケートまたは非コロケートし得る。第１のオプション５０５−ａは、マクロセル、マイクロセル、または、ピコセル配備において有用であり得る。
【００５４】
[0067]  第２のオプション５０５−ｂは、プロトコルスタックの統一された実施形態を示し、ここにおいてプロトコルスタックは、単一のネットワークアクセスデバイス（例えば、アクセスノード（ＡＮ）、新無線基地局（ＮＲ  ＢＳ）、新無線ノードＢ（ＮＲ  ＮＢ）、ネットワークノード（ＮＮ）または、これらに類するものど）において実施される。第２のオプションにおいて、ＲＲＣレイヤ５１０、ＰＤＣＰレイヤ５１５、ＲＬＣレイヤ５２０、ＭＡＣレイヤ５２５、および、ＰＨＹレイヤ５３０は、ＡＮによってそれぞれ実施し得る。第２のオプション５０５−ｂは、フェムトセル配備において有用であり得る。
【００５５】
[0068]  ネットワークアクセスデバイスがプロトコルスタックの一部分を実施するか、全てを実施するかにかかわらず、ＵＥは、プロトコルスタック全体５０５−ｃ（例えば、ＲＲＣレイヤ５１０、ＰＤＣＰレイヤ５１５、ＲＬＣレイヤ５２０、ＭＡＣレイヤ５２５、および、ＰＨＹレイヤ５３０）を実施し得る。
【００５６】
[0069]  図６は、ＤＬ中心サブフレームの例を示すダイヤグラム６００である。ＤＬ中心サブフレームは、制御部分６０２を含み得る。制御部分６０２は、ＤＬ中心サブフレームの最初または開始部分に存在し得る。制御部分６０２は、ＤＬ中心サブフレームの様々な部分に対応する、様々なスケジューリング情報および／または制御情報を含み得る。いくつかのコンフィギュレーションにおいて、制御部分６０２は、図６で示すように、物理ＤＬ制御チャネル（ＰＤＣＣＨ）であり得る。ＤＬ中心サブフレームは、ＤＬデータ部分６０４も含み得る。ＤＬデータ部分６０４は、ときには、ＤＬ中心サブフレームのペイロードと呼ばれることがある。ＤＬデータ部分６０４は、スケジューリングエンティティ（例えば、ＵＥまたはＢＳ）から下位エンティティ（例えば、ＵＥ）にＤＬデータを通信するために利用される通信リソースを含み得る。いくつかのコンフィギュレーションにおいて、ＤＬデータ部分６０４は、物理ＤＬ共有チャネル（ＰＤＳＣＨ）であり得る。
【００５７】
[0070]  ＤＬ中心サブフレームは、共通ＵＬ部分６０６も含み得る。共通ＵＬ部分６０６は、ときには、ＵＬバースト、共通ＵＬバースト、および／または、様々な他の適切な用語で呼ばれることがある。共通ＵＬ部分６０６は、ＤＬ中心サブフレームの様々な他の部分に対応するフィードバック情報を含み得る。例えば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または、様々な他の適切なタイプの情報を含み得る。共通ＵＬ部分６０６は、ランダムアクセスチャネル（ＲＡＣＨ）手順、スケジューリング要求（ＳＲ）、および、様々な他の適切なタイプの情報のような、追加のまたは代替の情報を含み得る。図６に図示するように、ＤＬデータ部分６０４の端は、共通ＵＬ部分６０６の開始から時間的に分離され得る。この時間分離は、ときには、ギャップ、ガード期間、ガードインターバル、および／または、様々な他の適切な用語で呼ばれることがある。この分離は、ＤＬ通信（例えば、下位エンティティ（例えば、ＵＥ）による受信動作）からＵＬ通信（例えば、下位エンティティ（例えば、ＵＥ）による送信）への切り替えのための時間を提供する。当業者は、前述がＤＬ中心サブフレームの単なる一例に過ぎず、同様の特徴を有する代替構造が、ここに記載した態様から必ずしも逸脱することなく存在し得ることを理解するであろう。
【００５８】
[0071]  図７は、ＵＬ中心サブフレームの例を示すダイヤグラム７００である。ＵＬ中心サブフレームは、制御部分７０２を含み得る。制御部分７０２は、ＵＬ中心サブフレームの最初または開始部分に存在し得る。図７の制御部分７０２は、図６を参照して上述した制御部分と同様であり得る。ＵＬ中心サブフレームは、ＵＬデータ部分７０４も含み得る。ＵＬデータ部分７０４は、ときには、ＵＬ中心サブフレームのペイロードと呼ばれることがある。ＵＬ部分は、下位エンティティ（例えば、ＵＥ）からスケジューリングエンティティ（例えば、ＵＥまたはＢＳ）にＵＬデータを通信するために利用される通信リソースを指し得る。いくつかのコンフィギュレーションにおいて、制御部分７０２は、物理ＤＬ制御チャネル（ＰＤＣＣＨ）であり得る。
【００５９】
[0072]  図７に図示するように、制御部分７０２の端は、ＵＬデータ部分７０４の開始から時間的に分離され得る。この時間分離は、ときには、ギャップ、ガード期間、ガードインターバル、および／または、様々な他の適切な用語で呼ばれることがある。この分離は、ＤＬ通信（例えば、スケジューリングエンティティによる受信動作）からＵＬ通信（例えば、スケジューリングエンティティによる送信）への切り替えのための時間を提供する。ＵＬ中心サブフレームはまた、共通ＵＬ部分７０６も含み得る。図７の共通ＵＬ部分７０６は、図７を参照して上述した共通ＵＬ部分７０６と同様であり得る。共通ＵＬ部分７０６は、チャネル品質インジケータ（ＣＱＩ）、サウンディング基準信号（ＳＲＳ）、および、様々な他の適切なタイプの情報に関係する情報を追加的にまたは代替的に含み得る。当業者は、前述がＵＬ中心サブフレームの単なる一例に過ぎず、同様の特徴を有する代替構造が、ここに記載した態様から必ずしも逸脱することなく存在し得ることを理解するであろう。
【００６０】
[0073]  いくつかの状況では、２つ以上の下位エンティティ（例えば、ＵＥ）が、サイドリンク信号を使用して、互いに通信し得る。このようなサイドリンク通信の現実世界のアプリケーションは、公衆安全、近接サービス、ＵＥ対ネットワーク中継、車対車（Ｖ２Ｖ）通信、インターネットオブエブリシング（ＩｏＥ）通信、ＩｏＴ通信、ミッションクリティカルメッシュ、および／または、様々な他の適切なアプリケーションを含み得る。概して、たとえ、スケジューリングエンティティがスケジューリングおよび／または制御目的で利用され得るとしても、サイドリンク信号は、スケジューリングエンティティ（例えば、ＵＥまたはＢＳ）を通してその通信を中継することなく、１つの下位エンティティ（例えば、ＵＥ１）から別の下位エンティティ（例えば、ＵＥ２）に通信される信号を指し得る。いくつかの例において、サイドリンク信号は、（典型的にライセンスされていないスペクトル使用するワイヤレスローカルエリアネットワークとは異なり）ライセンスされているスペクトルを使用して通信され得る。
【００６１】
[0074]  ＵＥは、リソースの専用セット（例えば、無線リソース制御（ＲＲＣ）専用状態等）を使用してパイロットを送信することに関連するコンフィギュレーション、または、リソースの共通セット（例えば、ＲＲＣ共通状態等）を使用してパイロットを送信することに関連するコンフィギュレーションを含む、様々な無線リソースコンフィギュレーションにおいて動作し得る。ＲＲＣ専用状態で動作するとき、ＵＥは、パイロット信号をネットワークに送信するためのリソースの専用セットを選択し得る。ＲＲＣ共通状態で動作するとき、ＵＥは、パイロット信号をネットワークに送信するためのリソースの共通セットを選択し得る。どちらのケースにおいても、ＵＥによって送信されるパイロット信号は、ＡＮ、または、ＤＵ、または、これらの部分であるような、１つ以上のネットワークアクセスデバイスによって受信され得る。各受信ネットワークアクセスデバイスは、リソースの共通セット上で送信されるパイロット信号を受信して測定するように構成され得、ネットワークアクセスデバイスがＵＥに対するネットワークアクセスデバイスの監視セットのメンバーである、ＵＥに割り振られたリソースの専用セット上で送信されるパイロット信号も受信して測定するように構成され得る。受信ネットワークアクセスデバイスのうちの１つ以上は、または、受信ネットワークアクセスデバイスがパイロット信号の測定を送信するＣＵは、ＵＥに対する担当セルを識別するために、または、ＵＥのうちの１つ以上に担当セルの変更を開始するために、測定を使用し得る。
【００６２】
[0075]  ＮＲでは、ＵＥが、図８に描かれるように、単一のまたは複数のビームを使用する１つ以上のＢＳまたはＴＲＰによってサービス提供され得る。図８は、ＵＥ８０２が、送信ビーム８２０を使用するＴＲＰ８１０によってサービス提供される例示的なワイヤレス通信システム８００を示す。ＵＥの受信ビーム８３０は、概して、送信ビーム８２０と並んでいる。ＴＲＰ（または、例えば、ＢＳ）は、１つ以上の他の送信ビーム８２２ａ〜８２２ｆを介して通信することが可能であり得る。同様に、ＵＥは、１つ以上の他の受信ビーム８３２ａ〜８３２ｄを介して通信することが可能であり得る。ＢＳの各送信ビーム８２０、８２２は、ＢＳの受信ビームとコロケートされ得る。同様に、ＵＥの各受信ビーム８３０、８３２は、ＵＥの送信ビームとコロケートされ得る。
【００６３】
非周期的チャネル状態情報基準信号のための例示的な擬似コロケーション仮定  
[0076]  マルチビーム動作は、ＮＲワイヤレス通信システムの特徴であり、マルチビーム動作のいくつかの態様は、ネットワーク通信標準規格において指定されている。これらの指定された動作の中には、物理ダウンリンク共有チャネル（ＰＤＳＣＨ）ビーム（例えば、ＰＤＳＣＨを送信するためにＢＳによって使用される送信ビーム、および、ＰＤＳＣＨを受信するためにＵＥによって使用される受信ビーム）に対する擬似コロケーション（ＱＣＬ）状態（すなわち、復調基準信号（ＤＭ−ＲＳ）およびＣＳＩ−ＲＳのような基準信号の送信のためにどのアンテナポートが使用されるかを示す状態）を示すために指定された送信コンフィギュレーション表示（ＴＣＩ）状態の使用がある。
【００６４】
[0077]  本開示の態様では、ダウンリンク制御情報（ＤＣＩ）がＴＣＩ状態をシグナリングでき、受信ＵＥがＰＤＳＣＨビームに対するＱＣＬ関連性を導出するためにＴＣＩ状態を使用する。すなわち、ＵＥがＰＤＳＣＨに対する許可を含みＴＣＩ状態を示すＤＣＩを受信でき、このＵＥは、示されたＴＣＩ状態に基づいて、許可されたリソースにおけるどのＲＥがＲＳを含むかを決定できる。
【００６５】
[0078]  本開示の態様によれば、（例えば、ＢＳからの送信を受信するために以前に使用された受信ビームから）その（受信）ビームを切り替えるのに十分な時間を受信ＵＥに割り当てるために、（例えば、ＰＤＣＣＨ中で伝えられ得るＤＣＩ中の）送信リソースのダウンリンク（ＤＬ）許可と対応するＤＬデータ送信（例えば、許可された送信リソースを介して送信されるＰＤＳＣＨ）との間に遅延が指定され得る。
【００６６】
[0079]  以前に知られる技術では、（ここではオフセットパラメータとも呼ばれる）遅延が（すなわち、ＵＥによって）決定されないとき、ダウンリンク送信の受信の間のＵＥ挙動は規定されない。ＤＣＩの送信のすぐ後に発生するようにＤＣＩがＤＬ送信をスケジューリングするある事例において、遅延が決定されないとき、ＵＥは、ＤＬ送信の受信を開始し得、ＵＥは、ＤＬ送信が開始するときにＤＣＩおよび対応するＴＣＩを伝える制御チャネルを依然としてデコードしている。
【００６７】
[0080]  本開示の態様では、遅延（すなわち、送信リソースの許可の受信と対応するＤＬ送信の受信との間の遅延）がしきい値（例えば、ＵＥに固有であり得る、ビームを迅速に切り替えるＵＥの能力に対する制限のようなしきい値）未満であるときのＵＥ挙動も指定される。
【００６８】
[0081]  本開示の態様によれば、非周期的チャネル状態情報基準信号（ＣＳＩ−ＲＳ）もＮＲワイヤレス通信システムの特徴である。非周期的（ＡＰ）ＣＳＩ−ＲＳ（ＡＰ  ＣＳＩ−ＲＳ）の使用は、（例えば、ＢＳによる）非周期的ＣＳＩ−ＲＳの送信のトリガと、ＣＳＩ−ＲＳの処理に基づくデバイス（例えば、ＵＥ）によるチャネル状態情報（ＣＳＩ）の報告との両方を含む。
【００６９】
[0082]  本開示の態様では、ＡＰ  ＣＳＩ−ＲＳがＰＤＳＣＨで周波数分割多重化（ＦＤＭ）および／または時分割多重化（ＴＤＭ）されるとき、ＡＰ  ＣＳＩ−ＲＳ  ＱＣＬ関連性を決定するための技術が提供される。
【００７０】
[0083]  本開示の態様によれば、ＵＥが、ＰＤＳＣＨをスケジューリングする制御リソースセット（ＣＯＲＥＳＥＴ）（すなわち、ＰＤＳＣＨをスケジューリングするＰＤＣＣＨが送信されるＣＯＲＥＳＥＴ）に対して「有効」に設定された上位レイヤパラメータＴＣＩ−ＰｒｅｓｅｎｔＩｎＤＣＩで構成される場合、ＵＥは、送信コンフィギュレーション情報（ＴＣＩ）フィールドが、ＣＯＲＥＳＥＴ上で送信されるＰＤＣＣＨのＤＬ  ＤＣＩ中に存在すると仮定する。ＵＥは、ＰＤＳＣＨアンテナポート擬似コロケーションを決定するために（すなわち、ＲＳを含むＲＥを決定するために）、検出されたＰＤＣＣＨのＤＣＩ中の送信コンフィギュレーション表示フィールドの値に従ってＵＥ上（例えば、ＲＲＣシグナリングにおいて）で構成され得るＴＣＩ−Ｓｔａｔｅｓを使用する。
【００７１】
[0084]  本開示の態様では、ＵＥが、ＰＤＳＣＨをスケジューリングするＣＯＲＥＳＥＴ（すなわち、ＰＤＳＣＨをスケジューリングするＰＤＣＣＨが送信されるＣＯＲＥＳＥＴ）に対して「無効」に設定されたＴＣＩ−ＰｒｅｓｅｎｔＩｎＤＣＩで構成される場合、ＰＤＳＣＨアンテナポート擬似コロケーションを決定するために、ＵＥは、ＰＤＳＣＨに対するＴＣＩ状態が、対応するＰＤＣＣＨ送信に対して使用されるＣＯＲＥＳＥＴに対して適用されるＴＣＩ状態と同一であると仮定する。
【００７２】
[0085]  本開示の態様によれば、（ＰＤＳＣＨに対する送信リソースをＵＥに許可する）ＤＬ  ＤＣＩの受信と、対応するＰＤＳＣＨ（すなわち、ＤＬ  ＤＣＩ中で許可されたリソース上で送信されるＰＤＳＣＨ）との間のオフセットがしきい値Ｔｈｒｅｓｈｏｌｄ＿Ｓｃｈｅｄ＿Ｏｆｆｓｅｔ以上である場合、ＵＥは、示されたＴＣＩ状態によって与えられるＱＣＬタイプパラメータに関して、担当セルによって送信されるＰＤＳＣＨの１つのＤＭ−ＲＳポートグループのアンテナポートが、ＲＳセット中のＲＳと擬似コロケートされると仮定し得る。
【００７３】
[0086]  本開示の態様では、ＴＣＩ−ＰｒｅｓｅｎｔＩｎＤＣＩ＝「有効」である時のケースとＴＣＩ−ＰｒｅｓｅｎｔＩｎＤＣＩ＝「無効」であるときのケースの両方について、オフセットがしきい（例えば、しきい値）未満である場合、ＵＥは、１つ以上のＣＯＲＥＳＥＴがＵＥに対して構成される最新のスロット中の最低のＣＯＲＥＳＥＴ−ＩＤのＰＤＣＣＨ擬似コロケーション表示に対して使用されるＴＣＩ状態に基づいて、担当セルのＰＤＳＣＨの１つのＤＭ−ＲＳポートグループのアンテナポートが擬似コロケートされると仮定し得る。すなわち、オフセットがしきい値未満である場合、ＵＥは、ＰＤＳＣＨのＱＣＬ関連性が最も低い識別子（ＣＯＲＥＳＥＴ−ＩＤ）を有するＣＯＲＥＳＥＴのＰＤＣＣＨのＱＣＬ関連性と同一であると仮定し得る。
【００７４】
[0087]  本開示の態様によれば、ＰＤＣＣＨは、オフセット値、ｋ０をＵＥに伝え得るが、ＰＤＣＣＨデコードはある程度時間がかかる。従って、オフセットがＵＥによってまだ知られていない（例えば、ＵＥがＰＤＣＣＨを受信したのと同じ送信時間間隔でＰＤＣＣＨによってスケジューリングされたＰＤＳＣＨをＵＥが受信している）とき、ＵＥ挙動を指定することが望ましい。
【００７５】
[0088]  本開示の態様では、ＴＣＩ−ＰｒｅｓｅｎｔＩｎＤＣＩ＝「有効」であるときのケースおよびＴＣＩ−ＰｒｅｓｅｎｔＩｎＤＣＩ＝「無効」であるときのケースについて、オフセットがまだ決定されていないかまたはしきい値未満である場合、ＵＥは、１つ以上のＣＯＲＥＳＥＴがＵＥに対して構成される最新のスロット中の最も低いＣＯＲＥＳＥＴ−ＩＤのＰＤＣＣＨ擬似コロケーション表示のために使用されるＴＣＩ状態に基づいて、担当セルのＰＤＳＣＨの１つのＤＭ−ＲＳポートグループのアンテナポートが擬似コロケートされると仮定し得る。すなわち、オフセットが決定されていないか、または、しきい値未満である場合、ＵＥは、ＰＤＳＣＨのＱＣＬ関連性が最も低い識別子（ＣＯＲＥＳＥＴ−ＩＤ）を有するＣＯＲＥＳＥＴのＰＤＣＣＨのＱＣＬ関連性と同一であると仮定し得る。
【００７６】
[0089]  ＰＤＳＣＨに関して上述したケースと同様のケースに対して、非周期的ＣＳＩ−ＲＳに対するＱＣＬ関連性を指定することが望ましい。すなわち、ＵＥが遅延（すなわち、別の送信のための送信リソースの許可の受信と他の送信の受信との間の遅延）を決定していない間にＵＥが他の送信を受信しているとき、受信ＵＥが行い得る、非周期的ＣＳＩ−ＲＳと別の送信（例えば、ＰＤＳＣＨのような物理チャネル）とのためのＱＣＬ関連性に関する仮定を指定することが望ましい。
【００７７】
[0090]  図９は、本開示の態様に従う、ワイヤレス通信に関する例示的な動作９００を図示する。動作９００は、ＵＥ、例えば、図１に示されるＵＥ１２０、および、図８に示されるＵＥ８０２によって行われ得る。
【００７８】
[0091]  動作９００は、ブロック９０２において、ＵＥが、物理チャネルに対する非周期的チャネル状態情報（ＣＳＩ）基準信号（ＣＳＩ−ＲＳ）の擬似コロケーション（ＱＣＬ）関連性を決定することで開始する。例えば、（図８に示される）ＵＥ８０２は、物理チャネルに対する非周期的ＣＳＩ−ＲＳのＱＣＬ関連性を決定し得る。この例では、非周期的ＣＳＩ−ＲＳと物理チャネルの両方がＴＲＰ８１０によって送信される。
【００７９】
[0092]  ブロック９０４において、動作９００は、ＵＥが、決定されたＱＣＬ関連性に従って、非周期的ＣＳＩ−ＲＳを処理することを続ける。この例を続けると、ＵＥ８０２は、ブロック９０２において（ＵＥによって）決定されたＱＣＬ関連性に従って、非周期的ＣＳＩ−ＲＳを処理する（例えば、ＣＳＩ−ＲＳを測定し、ＣＳＩを決定する）。
【００８０】
[0093]  図１０は、本開示の態様に従う、ワイヤレス通信に関する例示的な動作１０００を図示する。動作１０００は、ＢＳ（例えば、ＮＢ）、例えば、図１に示したＢＳ１１０、および、図８に示されるＴＲＰ８１０によって行われ得る。動作１０００は、図９を参照して上述した動作９００と相補的であり得る。
【００８１】
[0094]  動作１０００は、ブロック１００２において、ＢＳが、物理チャネルに対する非周期的チャネル状態情報（ＣＳＩ）基準信号（ＣＳＩ−ＲＳ）の擬似コロケーション（ＱＣＬ）関連性を決定することで開始する。例えば、（図８に示される）ＴＲＰ８１０は、物理チャネルに対する非周期的ＣＳＩ−ＲＳのＱＣＬ関連性を決定し得る。この例では、非周期的ＣＳＩ−ＲＳと物理チャネルの両方がＴＲＰ８１０によって送信される。
【００８２】
[0095]  ブロック１００４において、動作１０００は、ＢＳが、決定されたＱＣＬ関連性に従って、非周期的ＣＳＩ−ＲＳを送信することを続ける。例を続けると、ＴＲＰ８１０は、ブロック１００２において（ＢＳによって）決定されたＱＣＬ関連性に従って、非周期的ＣＳＩ−ＲＳを送信する。
【００８３】
[0096]  図１１は、本開示のある態様に従う、例示的な送信タイムライン１１００を図示する。ＢＳ（例えば、図１に示されるＢＳ１１０または図8に示されるＴＲＰ８１０）による送信が１１０２に示され、ＵＥによる受信ビーム挙動が１１２０に示される。第１のスロットは１１４０に示され、第２のスロットは１１４２に示される。ＣＯＲＥＳＥＴ１１０４、１１０６、および１１０８は、第1のスロットにおいて構成され、各ＣＯＲＥＳＥＴにおける制御チャネルは、ＣＯＲＥＳＥＴの異なる陰影で示されるように、異なるＱＣＬ関連性を使用してＢＳによって送信される。同様に、ＵＥは、１１２２、１１２４、および１１２６において、そのＣＯＲＥＳＥＴ上で制御チャネルを送信するときに使用されるＢＳと同じＱＣＬ関連性を使用する、対応する受信ビームを用いて第１のスロットにおけるＣＯＲＥＳＥＴの各々の制御チャネルを受信する。例示的なタイムラインでは、ＣＯＲＥＳＥＴ１１０８を介して送信される制御チャネル（例えば、ＰＤＣＣＨ）は、スロット１１４２においてＵＥへの送信のためにＰＤＳＣＨ１１１６をスケジューリングする。ＣＯＲＥＳＥＴ１１１０、１１１２、１１１４が第２のスロット１１４２中に構成される。ＵＥは、１１３０、１１３２、および１１３４において、対応する受信ビームを用いて第２のスロットにおけるＣＯＲＥＳＥＴの各々の制御チャネルを受信する。ＵＥは、ＰＤＳＣＨを送信するときにＢＳが使用するＱＣＬ関連性に一致する受信ビーム１１３６を用いて、ＰＤＳＣＨを受信する。ＢＳは、ＣＯＲＥＳＥＴ１１１０の間に送信される制御チャネルで、ＢＳが非周期的ＣＳＩ−ＲＳ１１１８を送信することも示す。制御チャネルは、非周期的ＣＳＩ−ＲＳがＰＤＳＣＨで時間および周波数分割多重化されることを示す。本開示の態様によれば、ＢＳは、非周期的ＣＳＩ−ＲＳの送信のためのＱＣＬ関連性を決定し得、ＵＥは、１１３８において、非周期的ＣＳＩ−ＲＳの処理のためのＱＣＬ関連性を決定し得る。
【００８４】
[0097]  本開示の態様によれば、非周期的ＣＳＩ−ＲＳと非周期的ＣＳＩ−ＲＳを示すＤＬ  ＤＣＩとの間のオフセット（例えば、ｋ０）がまだ決定されていないか、または、しきい値（例えば、ＵＥが受信ビームを切り替えるための最小時間）未満である場合、非周期的ＣＳＩ−ＲＳは、ＢＳによって送信され、最も低い識別子（すなわち、ＣＯＲＥＳＥＴの全ての識別子の中の最も低い識別子）、ＣＯＲＥＳＥＴ−ＩＤを有するＣＯＲＥＳＥＴのＰＤＣＣＨのＱＣＬを使用して、ＵＥによって処理され得る。この原理に従って動作するシステムは、ＰＤＳＣＨおよび非周期的ＣＳＩ−ＲＳが互いに周波数分割多重化されるとき、ＵＥにおける受信ビーム競合により、困難に遭遇し得る。例えば、しきい値よりも大きいオフセットを有するＰＤＳＣＨは、第１のＱＣＬ関連性を有する第１のビームを使用する（すなわち、それを介してＵＥによって受信される）ようにシグナリングされ得るが、非周期的ＣＳＩ−ＲＳは、しきい値よりも小さいオフセットを有するＤＣＩによってトリガされ得、第１のビームとは異なるＣＳＩ−ＲＳを処理するためのデフォルトビームを示し、結果として、ＵＥは、第１のビームおよびデフォルトビームを同時に受信するように要求される。
【００８５】
[0098]  本開示の態様では、非周期的ＣＳＩ−ＲＳを示すＤＣＩを伝えるＤＬ制御チャネルと非周期的ＣＳＩ−ＲＳとの間のオフセットがまだ決定されていないか、または、しきい値未満である場合、時間および／または周波数リソースのセット中の非周期的ＣＳＩ−ＲＳは、時間および／または周波数リソース中の前の明示的ＱＣＬ表示（例えば、別の送信に対するより早い許可）に基づいて決定されるＱＣＬ関連性を使用し得る。すなわち、非周期的ＣＳＩ−ＲＳが周波数リソースのセット上で送信されるであろうことを示すＤＣＩを有する制御チャネルをＵＥが受信し、ＵＥがオフセットパラメータを決定していないか、または、オフセットパラメータがＤＣＩの受信と非周期的ＣＳＩ−ＲＳの送信との間のオフセット（すなわち、期間）よりも大きい場合、ＵＥは、ダウンリンクチャネル（すなわち、ＰＤＳＣＨ、より大きいオフセットでスケジューリングされた別の非周期的ＣＳＩ−ＲＳ、周期的ＣＳＩ−ＲＳ、または、半永続ＣＳＩ−ＲＳのような別の送信）に対して以前の許可において示されたＱＣＬを使用して、非周期的ＣＳＩ−ＲＳを受信し得る。または、明示的なＱＣＬ表示がない場合、非周期的ＣＳＩ−ＲＳは、スロットまたはミニスロットにおいて非周期的ＣＳＩ−ＲＳで周波数および／または時分割多重化される、別の送信（例えば、ユニキャストＰＤＳＣＨ）ビームに対するＱＣＬを使用して、ＵＥによって受信され得る。
【００８６】
[0099]  本開示の態様によれば、明示的なＱＣＬ表示は、許可（例えば、別の送信のための許可）において伝えられ得る。例えば、図１１に示されるＰＤＳＣＨ１１１６をスケジューリングする（ＣＯＲＥＳＥＴ１１０８において送信される）第1のＤＣＩは、明示的なＱＣＬ表示を伝え得る。この明示的な表示は、レートマッチングビットマップを示し、ＰＤＳＣＨの周りでレートマッチングされるリソース要素（ＲＥ）に対するＱＣＬ関連性を指定し得、レートマッチングされたＲＥに対するＱＣＬ関連性は、ＰＤＳＣＨに対するＱＣＬ関連性とは異なり得る。
【００８７】
[0100]  現在知られるＮＲ技術では、ＰＤＳＣＨの周りでレートマッチングされることになるＲＥに対してＱＣＬ関連性は指定されない。
【００８８】
[0101]  本開示の態様によれば、許可において示されるレートマッチングされたＲＥ（例えば、ＰＤＳＣＨとレートマッチングされた非周期的ＣＳＩ−ＲＳのＲＥ）に対するＱＣＬ関連性がないとき、レートマッチングされたＲＥにおける非周期的ＣＳＩ−ＲＳは、ＲＥがレートマッチングされる送信に対して示されるＱＣＬ関連性（例えば、ＰＤＳＣＨ）を使用して、ＢＳによって送信され（およびＵＥによって処理され）得る。
【００８９】
[0102]  本開示の態様では、許可において示されるレートマッチングされたＲＥに対してＱＣＬ関連性があるとき、レートマッチングされたＲＥにおける非周期的ＣＳＩ−ＲＳは、レートマッチングされたＲＥに対する許可において示されるＱＣＬ関連性を使用して、ＢＳによって送信され（およびＵＥによって処理され）得る。例えば、非周期的ＣＳＩ−ＲＳは、ＰＤＳＣＨで時分割多重化され得、ＣＳＩ−ＲＳは、ＰＤＳＣＨとは異なるＱＣＬ関連性を有する異なるビームを使用するように示され得る。すなわち、ＢＳは、第１のＱＣＬ関連性を使用して物理チャネル（例えば、ＰＤＳＣＨ）を送信し、第２のＱＣＬ関連性を使用して物理チャネルとレートマッチングされたＲＥで非周期的ＣＳＩ−ＲＳを送信し得る。
【００９０】
[0103]  本開示の態様によれば、アップリンク送信（例えば、物理アップリンク共有チャネル（ＰＵＳＣＨ））は、アップリンク送信をスケジューリングする許可においてＱＣＬ関連性が示されるいくつかの周波数および時間リソースの周りでレートマッチングされ得る。次いで、アップリンク送信を送信するＵＥは、これらのレートマッチングされたリソース上で非周期的サウンディング基準信号（ＳＲＳ）を送信するようにトリガされ得、ＵＥは、アップリンク送信に対して示されたＱＣＬとは異なり得る、許可において示されたＱＣＬ関連性を使用して、レートマッチングされたリソース上で非周期的ＳＲＳを送信する。
【００９１】
[0104]  本開示の態様では、ＵＥは、ＵＥがアップリンク送信（例えば、ＰＵＳＣＨ）の送信のために許可された時間および周波数リソースのセット中で非周期的ＳＲＳを送信するようにトリガされ得る。非周期的ＳＲＳをトリガするＤＣＩと非周期的ＳＲＳとの間のオフセットがしきい値未満である場合、ＵＥは、デフォルト構成されたＵＬビーム（例えば、ＲＲＣシグナリングを介して構成されたビーム）を使用するか、または、最も低いＣＯＲＥＳＥＴ−ＩＤを有するＣＯＲＥＳＥＴに関連付けられた関連するＵＬビーム（「関連付けられたＵＬビーム」は、ＰＤＣＣＨを受信するために使用されるＤＬビームから導出されたＵＬ送信ビームを意味する）を使用し得る。
【００９２】
[0105]  図１２は、本開示の態様に従う、ワイヤレス通信に関する例示的な動作１２００を図示する。動作１２００は、ＢＳ（例えば、ＮＢ）、例えば、図１に示されるＢＳ１１０、および、図８に示されるＴＲＰ８１０によって行われ得る。
【００９３】
[0106]  動作１２００は、ブロック１２０２において、ＢＳが、物理チャネルに対する非周期的サウンディング基準信号（ＳＲＳ）の擬似コロケーション（ＱＣＬ）関連性を決定することで開始する。例えば、（図８に示される）ＴＲＰ８１０は、物理チャネルに対する非周期的ＳＲＳのＱＣＬ関連性を決定し得る。この例では、非周期的ＳＲＳはＵＥ８０２によって送信され、物理チャネルはＵＥ８０２によってまたはＴＲＰ８１０によって送信され得る。
【００９４】
[0107]  ブロック１２０４において、動作１２００は、ＢＳが、決定されたＱＣＬ関連性に従って、非周期的ＳＲＳを処理することを続ける。例を続けると、ＴＲＰ８１０は、ブロック９０２において（ＴＲＰによって）決定されたＱＣＬ関連性に従って、非周期的ＳＲＳを処理する。
【００９５】
[0108]  図１３は、本開示のある特定の態様に従う、ワイヤレス通信に関する例示的な動作１３００を図示する。動作１３００は、ＵＥ、例えば、図１に示されるＵＥ１２０、および、図８に示されるＵＥ８０２によって行われ得る。動作１０００は、図１２を参照して上述した動作１２００と相補的であり得る。
【００９６】
[0109]  動作１３００は、ブロック１３０２において、ＵＥが、物理チャネルに対する非周期的サウンディング基準信号（ＳＲＳ）の擬似コロケーション（ＱＣＬ）関連性を決定することで開始する。例えば、（図８に示される）ＵＥ８０２は、物理チャネルに対する非周期的ＳＲＳのＱＣＬ関連性を決定し得る。この例では、非周期的ＳＲＳはＵＥ８０２によって送信され、物理チャネルはＴＲＰ８１０によってまたはＵＥ８０２によって送信され得る。
【００９７】
[0110]  ブロック１３０４において、動作１３００は、ＵＥが、決定されたＱＣＬ関連性に従って、非周期的ＳＲＳを送信することを続ける。例を続けると、ＵＥ８０２は、ブロック１３０２において（ＵＥによって）決定されたＱＣＬ関連性に従って、非周期的ＳＲＳを送信する。
【００９８】
[0111]  ここに開示された方法は、説明された方法を達成するための１つ以上のステップまたはアクションを含む。方法のステップおよび／またはアクションは、特許請求の範囲から逸脱することなく、互いに交換可能であり得る。言い換えると、ステップまたはアクションの特定の順序が指定されていない限り、特定のステップおよび／またはアクションの順序および／または使用を、特許請求の範囲から逸脱することなく修正し得る。
【００９９】
[0112]  ここで使用されるように、アイテムのリスト「のうちの少なくとも１つ」を指す表現は、単一のメンバーを含む、これらのアイテムの任意の組み合わせを指す。例として、「ａ、ｂ、またはｃのうちの少なくとも１つ」は、ａ、ｂ、ｃ、ａ−ｂ、ａ−ｃ、ｂ−ｃ、および、ａ−ｂ−ｃとともに、複数の同じ要素の任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、ａ、ｂ、および、ｃの何か他の順序）をカバーするように意図される。
【０１００】
[0113]  ここで使用されるように、「決定すること」という用語は、幅広いアクションを包含する。例えば、「決定すること」は、算出する、計算する、処理する、導出する、調べる、検索する（例えば、表、データベース、または、別のデータ構造中において検索する）、確認する、および、これらに類するものを含み得る。また、「決定すること」は、受信すること（例えば、情報を受信すること）、アクセスすること（例えば、メモリ中のデータにアクセスすること）、および、これらに類するものを含み得る。さらに、「決定すること」は、解決すること、選択すること、選ぶこと、確立すること、および、これらに類するものを含み得る。
【０１０１】
[0114]  先の説明は、いかなる当業者であっても、ここに説明された様々な態様を実施することを可能にするために提供される。これらの態様への様々な修正は、当業者にとって容易に明らかとなり、ここに規定された包括的な原理は、他の態様に適用され得る。従って、特許請求の範囲は、ここに示された態様に限定されるように意図されたものでなく、特許請求の範囲の文言と矛盾しない最大範囲であると認められるべきであり、ここにおいて、単数の要素への参照は、そのように明確に記載されていない限り、「１つおよび１つのみ」を意味するのでなく、むしろ「１つ以上」を意味することを意図される。そうでないことが明確に述べられない限り、「いくつか」という用語は、１つ以上を指す。当業者に知られる、または後に知られることとなる、本開示全体を通じて説明された様々な態様の要素と構造的および機能的に同等な物は全て、参照によってここに明確に組み込まれ、特許請求の範囲によって包含されるように意図されている。さらに、ここで開示したものは、このような開示が特許請求の範囲に明示的に記載されているか否かにかかわらず、公共に捧げられることを意図しない。どの請求項の要素も、要素が「するための手段」というフレーズを用いて明示的に記載されない限り、または方法の請求項のケースでは、要素が「するステップ」というフレーズを用いて記載されない限り、米国特許法第１１２条第６パラグラフの規定の下で解釈すべきではない。
【０１０２】
[0115]  上述した方法の様々な動作は、対応する機能を行うことが可能である任意の適切な手段によって行われ得る。手段は、回路、特定用途向け集積回路（ＡＳＩＣ）、またはプロセッサを含むがこれらに限定されない、様々なハードウェアおよび／またはソフトウェアコンポーネントおよび／またはモジュールを含み得る。概して、図面に図示された動作がある場合、これらの動作は、同様に番号付けされた対応する対照のミーンズプラスファンクションコンポーネントを有し得る。
【０１０３】
[0116]  例えば、送信するための手段、処理するための手段、および／または受信するための手段は、基地局１１０の送信プロセッサ４２０、ＴＸ  ＭＩＭＯプロセッサ４３０、受信プロセッサ４３８、または、アンテナ４３４、並びに／あるいは、ユーザ機器１２０の送信プロセッサ４６４、ＴＸ  ＭＩＭＯプロセッサ４６６、受信プロセッサ４５８、またはアンテナ４５２のうちの１つ以上を備え得る。さらに、生成するための手段、多重化するための手段、決定するための手段、処理するための手段、および／または適用するための手段は、基地局１１０の制御装置／プロセッサ４４０、および／または、ユーザ機器１２０の制御装置／プロセッサ４８０のような、１つ以上のプロセッサを備え得る。
【０１０４】
[0117]  本開示に関連して説明された、様々な例示的な論理ブロック、モジュール、および回路は、ここで説明された機能を行うように設計された、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス（ＰＬＤ）、離散ゲートまたはトランジスタ論理、離散ハードウェアコンポーネント、または、これらの任意の組み合わせで、実施または行われ得る。汎用プロセッサはマイクロプロセッサであり得るが、代替実施形態では、プロセッサは、何らかの商業的に入手可能なプロセッサ、制御装置、マイクロ制御装置、または、状態機械であり得る。プロセッサはまた、例えば、ＤＳＰとマイクロプロセッサとの組み合わせ、複数のマイクロプロセッサ、ＤＳＰコアに関連する１つ以上のマイクロプロセッサ、または、何か他のこうした構成である、コンピューティングデバイスの組み合わせとして実施し得る。
【０１０５】
[0118]  ハードウェアで実施される場合、例示的なハードウェアコンフィギュレーションは、ワイヤレスノードにおける処理システムを備え得る。処理システムは、バスアーキテクチャによって実施され得る。バスは、処理システムの特定の用途および設計全体の制約に依存して、任意の数の相互接続バスおよびブリッジを含み得る。バスは、プロセッサ、機械読取可能媒体、および、バスインターフェースを含む、様々な回路を互いにリンクし得る。バスインターフェースは、とりわけ、ネットワークアダプタを処理システムにバスを介して結合するために使用され得る。ネットワークアダプタは、ＰＨＹレイヤの信号処理機能を実施するために使用され得る。ユーザ端末１２０のケースでは（図１参照）、ユーザインターフェース（例えば、キーパッド、ディスプレイ、マウス、ジョイスティック等）もまた、バスに接続され得る。バスは、タイミングソース、周辺機器、電圧レギュレータ、電力管理回路、および、これらに類するもののような、他の様々な回路もリンクし得るが、これらは技術的によく知られているため、これ以上説明しない。プロセッサは、１つ以上の汎用プロセッサおよび／または特殊目的プロセッサによって実施され得る。例は、ソフトウェアを実行できる、マイクロプロセッサ、マイクロ制御装置、ＤＳＰプロセッサ、および他の回路を含む。当業者は、特定の用途およびシステム全体に課された設計全体の制約に依存して、処理システムに対する説明した機能性をどのように最良に実施するかを認識するであろう。
【０１０６】
[0119]  ソフトウェアで実施される場合、機能は、コンピュータ読取可能媒体において、１つ以上の命令またはコードとして、記憶または伝送され得る。ソフトウェア、ファームウェア、ミドルウェア、マイクロコード、ハードウェア記述言語、または、その他のものと呼ばれるか否かにかかわらず、ソフトウェアは、命令、データ、または、これらの任意の組み合わせを意味するように広く解釈すべきである。コンピュータ読取可能媒体は、１つの場所から別の場所へのコンピュータプログラムの転送を促進する任意の媒体を含む、コンピュータ記憶媒体および通信媒体の両方を含んでいる。プロセッサは、バスの管理と、機械読取可能記憶媒体上に記憶されているソフトウェアモジュールの実行を含む汎用処理とを担い得る。コンピュータ読取可能記憶媒体は、プロセッサが記憶媒体から情報を読み取ることおよび記憶媒体に情報を書き込むことができるように、プロセッサに結合され得る。代替実施形態において、記憶媒体はプロセッサと一体化し得る。例として、機械読取可能媒体は、送信線、データによって変調された搬送波、および／または、ワイヤレスノードから分離された、命令を記憶したコンピュータ読取可能記憶媒体を含み得るが、これらの全ては、バスインターフェースを通してプロセッサによってアクセスされ得る。代替的に、または、加えて、機械読取可能媒体またはその任意の一部は、キャッシュおよび／または汎用レジスタファイルが用いられるケースのような、プロセッサに統合され得る。機械読取可能記憶媒体の例は、例として、ＲＡＭ（ランダムアクセスメモリ）、フラッシュメモリ、ＲＯＭ（リードオンリーメモリ）、ＰＲＯＭ（プログラム可能リードオンリーメモリ）、ＥＰＲＯＭ（消去可能プログラム可能リードオンリーメモリ）、ＥＥＰＲＯＭ（登録商標）（電気的消去可能プログラム可能リードオンリーメモリ）、レジスタ、磁気ディスク、光ディスク、ハードドライブ、または、何か他の適切な記憶媒体、あるいは、これらの任意の組み合わせを含み得る。機械読取可能媒体は、コンピュータプログラム製品において具現化され得る。
【０１０７】
[0120]  ソフトウェアモジュールは、単一の命令または多くの命令を含み得、いくつかの異なるコードセグメントを通して、異なるプログラム間で、および、複数の記憶媒体に渡って、分散され得る。コンピュータ読取可能媒体は、多数のソフトウェアモジュールを含み得る。ソフトウェアモジュールは、プロセッサのような装置によって実行されるとき、処理システムに様々な機能を行わせる命令を含む。ソフトウェアモジュールは、送信モジュールおよび受信モジュールを含み得る。各ソフトウェアモジュールは、単一の記憶デバイスに存在し得、または、複数の記憶デバイスに渡って分散され得る。例として、ソフトウェアモジュールは、トリガイベントが起こったときに、ハードドライブからＲＡＭにロードされ得る。ソフトウェアモジュールの実行の間、プロセッサは、命令のうちのいくつかをキャッシュにロードして、アクセススピードを増加させ得る。その後、１つ以上のキャッシュラインが、プロセッサによる実行のために汎用レジスタファイルにロードされ得る。以下のソフトウェアモジュールの機能性に言及するときに、このような機能性は、そのソフトウェアモジュールからの命令を実行するときにプロセッサによって実施されることが理解されるであろう。
【０１０８】
[0121]  何れの接続も、コンピュータ読取可能媒体と適切に呼ばれる。例えば、ソフトウェアが、ウェブサイト、サーバ、または他の遠隔ソースから同軸ケーブル、光ファイバケーブル、撚り対、デジタル加入者線（ＤＳＬ）、または、赤外線（ＩＲ）、無線、マイクロ波のようなワイヤレステクノロジーを使用して送信される場合、同軸ケーブル、光ファイバケーブル、撚り対、ＤＳＬ、または、赤外線、無線、マイクロ波のようなワイヤレステクノロジーは、媒体の定義に含まれる。ここで使用されるようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含み、通常、ディスク（ｄｉｓｋ）は、磁気的にデータを再生する一方で、ディスク（ｄｉｓｃ）はレーザにより光学的にデータを再生する。従って、いくつかの態様では、コンピュータ読取可能媒体が、非一時的コンピュータ読取可能媒体（例えば、有形媒体）を備え得る。さらに、他の態様では、コンピュータ読取可能媒体が、一時的コンピュータ読取可能媒体（例えば、信号）を含み得る。上記の組み合わせもまた、コンピュータ読取可能媒体の範囲内に含まれるべきである。
【０１０９】
[0122]  従って、ある態様は、ここで提示された動作を行うためのコンピュータプログラム製品を含み得る。例えば、このようなコンピュータプログラム製品は、記憶（および／またはエンコード）された命令を有するコンピュータ読取可能媒体を備えてよく、命令は、ここに説明された動作を行うために１つ以上のプロセッサによって実行可能である。例えば、命令は、ここで説明し、図９−１０に図示される動作を行うための命令を含み得る。
【０１１０】
[0123]  さらに、ここで説明された方法および技術を行うためのモジュールおよび／または他の適切な手段が、適宜、ユーザ端末および／または基地局によってダウンロードされ得ること、および／またはそうでなければ、取得され得ることを理解すべきである。例えば、このようなデバイスは、ここで説明された方法を行うための手段の転送を促進するためにサーバに結合され得る。代替的に、ここで述べた様々な方法は、ユーザ端末および／または基地局が記憶手段をデバイスに結合または提供することに伴って様々な方法を取得できるように、記憶手段（例えば、ＲＡＭ、ＲＯＭ、コンパクトディスク（ＣＤ）またはフロッピーディスクのような物理記憶媒体等）を介して提供されることができる。さらに、ここで述べた方法および技術を提供するための何か他の適切な技術が利用できる。
【０１１１】
[0124]  特許請求の範囲は上記に例示されたまさにそのコンフィギュレーションおよびコンポーネントに限定されないことを理解すべきである。様々な修正、変更、およびバリエーションは、特許請求の範囲から逸脱することなく、上記に説明された方法および装置の構成、動作、および詳細においてなされ得る。
【図１】
2021511762.tif 000003
【図２】
2021511762.tif 000004
【図３】
2021511762.tif 000005
【図４】
2021511762.tif 000006
【図５】
2021511762.tif 000007
【図６】
2021511762.tif 000008
【図７】
2021511762.tif 000009
【図８】
2021511762.tif 000010
【図９】
2021511762.tif 000011
【図１０】
2021511762.tif 000012
【図１１】
2021511762.tif 000013
【図１２】
2021511762.tif 000014
【図１３】
2021511762.tif 000015
【国際調査報告】
2021511762.tif 000016
2021511762.tif 000017